(57)【要約】【課題】睡眠中に肩こりなどの疲労を回復する電気毛布を提供する。【解決手段】上下２枚の毛布生地１を重ね合わせて両者間に複数の接結部２とトンネル部３を並列に、かつ交互に形成し、かつ起毛させて作成した前記毛布生地１を、前記接結部２をガイドとしてトンネル部３に発熱線４を蛇行状に配設し、さらにこの発熱線４の先端を寄り集めてコード接続部１０を形成する本体５と、前記発熱線４の温度調節及び電源の入切を行うコントローラー９を備えたコード１１とで構成する電気毛布において、上下２枚よりなる毛布生地１の開口部の接合として周囲３辺を縫製し、残り１辺の口元部の接合には、見栄え、使用感のよい縫製布テープ１２を設け、この縫製布テープ１２は、チタン金属を含浸させた繊維、あるいはチタンコーティングした繊維を用いる構成とした。【選択図】  図１
2004236898.tif 000002
【特許請求の範囲】
【請求項１】
上下２枚の生地（１ａ）、生地（１ｂ）を重ね合わせて両者間に複数の接結部（２）とトンネル部（３）を並列に、かつ交互に形成し、かつ起毛させて作成した毛布生地（１）を、前記接結部（２）をガイドとしてトンネル部（３）に発熱線（４）を蛇行状に配設し、さらにこの発熱線（４）の先端を寄り集めてコード接続部（１０）を形成する本体（５）と、前記発熱線（４）の温度調節及び電源の入切を行うコントローラー（９）を備えたコード（１１）とで構成する電気毛布において、上下２枚よりなる毛布生地（１）の開口部の接合として周囲３辺を縫製し、残り１辺の口元部の接合には、見栄え、使用感のよい縫製布テープ（１２）を設け、前記縫製布テープ（１２）の構成には、身体の生体電流の乱れを治すチタン金属を含浸させた繊維、あるいはチタンコーティングした繊維を用いたことを特徴とする電気毛布。
【発明の詳細な説明】
【０００１】
【発明の属する技術分野】
本発明は、電気採暖具に用いる電気毛布に関するものである。
【０００２】
【従来の技術】
従来、一般的な電気毛布は、図１、図２、図３に示すように、上下２枚の生地１ａ、１ｂを重ね合わせて両者間に複数の接結部２とトンネル部３を並列に、かつ交互に形成し、かつ起毛させて毛布生地１を作成し、前記接結部２をガイドとしてトンネル部３に発熱線４を蛇行状に配設し、さらにこの発熱線４の先端を寄り集めてコード接続部１０を形成した本体５と、前記発熱線４の温度を調節するコントローラー９を備えたコード１１とで構成されている。
【０００３】
このコントローラー９により、発熱線４へ電流を通電すると、一次巻線のヒーター線６に電流が流れ、熱が発生する。この熱により、感熱層８の抵抗値が低下し、２次巻線の検知線７側に電流が流れ込み電流制御を行い、温度制御を行う。
【０００４】
このジュール熱により、熱が発生し、暖を採るものである。ここで、毛布生地１の寸法は、身体全体を覆い暖めることのできる標準寸法の１８０×１３０ｃｍや、大きめのゆったりサイズの寸法である２００×１４０ｃｍの長方形が一般的な寸法である。
【０００５】
この毛布生地１の開口部の接合として周囲３辺をミシンにてかがり縫製し、残り１辺の被使用者の顔面側口元部に当たる部分の接合には、見栄え、使用感のよい縫製布テープ１２を使用し、縫い合わせて電気毛布として製品化している構成が一般に知られている。
【０００６】
【特許文献１】「特開２００１−１３５４６６号公報」。
【０００７】
【発明が解決しようとする課題】
しかしながら、製品の性格上、冬場の就寝時に使用する訳であるが、人間は就寝中でも耐えず呼吸をしており、特に就寝中の呼吸は大きく、深く、深呼吸の様な状態で呼吸をしている。
【０００８】
そのため、被使用者の顔の口元部に当たる部分には、見栄え、使用感のよい起毛状の縫製布テープを使用し睡眠時に違和感のないものを用いている。
【０００９】
この縫製布テープは、一般的な化学繊維や天然素材の繊維が用いられており、そして、前記従来例の縫製布テープは、繊維に緑茶カテキンの染色処理を施したものであり、消臭作用を有するなどの効果があるものの、何れも精神的な面の抑制作用であり、身体的な疲労（肩こり等）を軽減することはできないものであった。
【００１０】
【課題を解決するための手段】
上記の課題を解決するために本発明においては、上下２枚の生地を重ね合わせて両者間に複数の接結部とトンネル部を並列に、かつ交互に形成し、かつ起毛させて作成した毛布生地を、前記接結部をガイドとしてトンネル部に発熱線を蛇行状に配設し、さらにこの発熱線の先端を寄り集めてコード接続部を形成する本体と、前記発熱線の温度調節及び電源の入切を行うコントローラーを備えたコードとで構成する電気毛布において、上下２枚よりなる毛布生地の開口部の接合として周囲３辺を縫製し、残り１辺の口元部の接合には、見栄え、使用感のよい縫製布テープを設け、この縫製布テープの構成には、身体の生体電流の乱れを治すチタン金属を含浸させた繊維、あるいはチタンコーティングした繊維を用いた電気毛布としたものである。
【００１１】
【発明の実施の形態】
本発明は、毛布生地の口元部の接合には、見栄え、使用感のよい起毛状の縫製布テープを設け、この縫製布テープは、身体の生体電流の乱れを治すチタン金属を含浸させた繊維、あるいはチタンコーティングした繊維を用いているために、チタン金属のイオン化傾向の高い作用により、就寝時の被使用者の肩こり場に疲労原因のひとつとされるプラスイオンの増加をチタンのマイナスイオンで減少させて身体のイオンバランスを整え、肩こりの低減を図り睡眠中の疲労回復を提供することができるものである。
【００１２】
【実施例】
以下、本発明の一実施例を示す図１、図２、図３に従って説明する。
【００１３】
図において、１は毛布生地であり、この毛布生地１は一般に熱や摩耗性に強いポリエステルや発色性の良いアクリル等の繊維で構成されている。この上下２枚の生地１ａ、生地１ｂを重ね合わせて両者間に複数の接結部２とトンネル部３を並列に、かつ交互に形成し、かつ起毛させて毛布生地１を作成し、前記接結部２をガイドとしてトンネル部３に発熱線４を蛇行状に配設している。さらにこの発熱線４の先端を寄り集めてコード接続部１０を形成した本体５と、前記発熱線４の温度を調節するコントローラー９を備えたコード１１とで構成されている。
【００１４】
４は毛布生地１内に配線されている発熱線であり、この発熱線４は、図３のような構成である。１次巻線側にはヒーター線６が巻かれ、そのヒーター線６に電流が流れると熱を発生する。２次巻線側には検知線７が巻かれ、その検知線７と前記ヒーター線６との間に感熱層８が介在し、その感熱層８は温度が上昇すると抵抗値が下がる特性を持っている。
【００１５】
９は発熱線４への通電と本体内部温度を調節するコントローラー（操作器）であり、発熱線４を表裏のある接結形の毛布生地１内のトンネル部３へ張り巡らせた毛布生地１と発熱線４の先端に端子及び絶縁体によって構成するコード接続部１０とで、接続する構成となっている。
【００１６】
毛布生地１の寸法は、身体全体を覆い暖めることのできる寸法になっている。つまり、従来同様の標準寸法の１８０×１３０ｃｍや、大きめのゆったりサイズの寸法である２００×１４０ｃｍの長方形の寸法等がある。
【００１７】
この上下２枚よりなる毛布生地１の開口部を接合する手段として周囲３辺をミシンにてかがり縫製し、残り１辺の顔面口元部の接合には、見栄え、使用感のよい起毛状の縫製布テープ１２を使用し、この縫製布テープ１２の構成には、身体の生体電流の乱れを治すチタン金属を含浸させた繊維、あるいはチタンコーティングした繊維を用いている。
【００１８】
次に、前記構成における作用を説明する。
【００１９】
縫製布テープ１２は、身体の生体電流の乱れを治す効果のあるチタン金属を含浸させた繊維、あるいはチタンコーティングした繊維を用いたために、チタン金属のイオン化傾向の高い作用により、就寝時の被使用者の肩こり場に疲労原因のひとつとされるプラスイオンの増加をチタンのマイナスイオンで減少させて身体のイオンバランスを整え、肩こりの低減を図り睡眠中に疲労回復を図ることができるものである。これにより、より安らかな睡眠を提供することができるものである。
【００２０】
【発明の効果】
以上、本発明は前記した構成とすることにより、つぎのような効果が得られるものである。
【００２１】
まず、チタン金属を含浸させた繊維、あるいはチタンコーティングした繊維を用いたために、チタン金属のイオン化傾向の高い作用により、就寝時の被使用者の肩こり場に疲労原因のひとつとされるプラスイオンの増加をチタンのマイナスイオンで減少させて身体のイオンバランスを整え、肩こりの低減を図り睡眠中に疲労回復の効果が得られる実用的な暖房器を提供することができる。
【００２２】
また、チタンは金属イオンの溶け出しのない金属であるため、金属アレルギー（皮膚炎）を引き起こす要因がなく、身体にやさしい電気毛布とすることができるものである。
【図面の簡単な説明】
【図１】本発明の一実施例および従来例を示す電気毛布の一部破断した平面図である。
【図２】同じく電気毛布の要部断面図である。
【図３】同じく電気毛布の発熱線の構成図である。
【符号の説明】
１  毛布生地
２  接結部
３  トンネル部
４  発熱線
５  本体
６  ヒーター線
７  検知線
８  感熱層
９  コントローラー
１２  縫製布テープ
【図１】
2004236898.tif 000003
【図２】
2004236898.tif 000004
【図３】
2004236898.tif 000005